(57)【要約】      （修正有）【課題】急閉式逆止弁に逆流圧を逃がす緩閉式副弁と、負圧時作動空気吸気弁とを有するウォーターハンマー防止機能が設けてノン・ウォーターハンマーに近い多機能バルブを提供する。【解決手段】逆止弁は弁体５と、弁座４と、流入路１と、流入路に連通する流出路２と、その中間の分岐点で分岐されてなる退避路３と、閉塞部材９とで構成され、弁体は車輪型又は車輪類似型、又は円筒型又は円筒類似型とし、分岐点に設けられてなる弁座と退避路の間を移動するように配置され、流路断面は円形又は四角形とし、流路内は流体が分散・拡散しない構造と、退避路は流体が流れ込まない構造とし、弁体の逆止弁としての機能は、弁体の自重、磁石１２ｂ、バネ１４ｂ、流出路から逆流水の少なくともいずれかによって弁体が弁座側に付勢されることにより機能を発現する。【選択図】図１
2016200174.tif 000002
【特許請求の範囲】
【請求項１】
逆止弁は弁体と、弁座と、流入路と、前記流入路に連通する流出路と、前記流入路と前記流出路の中間の分岐点で分岐されてなる退避路と、閉塞部材とで構成され、前記弁体は車輪型又は車輪類似型、又は円筒型又は円筒類似型とし、前記分岐点に設けられてなる前記弁座と前記退避路の間を移動するように配置され、流路断面は円形又は四角形とし、流路内は流体が分散・拡散しない構造と、退避路は流体が流れ込まない構造とし、前記弁体の逆止弁としての機能は、前記弁体の自重、前記磁石、前記バネ、前記流出路から逆流水の少なくともいずれかによって、前記弁体が前記弁座側に付勢されることにより発現するのを特徴とする多機能バルブ。
【請求項２】
前記磁石又は前記バネによる急閉式逆止弁を有するウォーターハンマー防止機能が設けられてなることを特徴とする、請求項１に記載の多機能バルブ。
【請求項３】
弁体底部に逆流圧を逃がす緩閉式弁を有するウォーターハンマー防止機能が設けられてなることを特徴とする、請求項１又は請求項２に記載の多機能バルブ。
【請求項４】
前記閉塞部材に負圧時作動空気吸気弁を有するウォーターハンマー防止機能が設けられてなることを特徴とする、請求項１ないし請求項３に記載の多機能バルブ。
【請求項５】
前記弁体底部に整流板が設けられてなることを特徴とする、請求項１ないし請求項４に記載の多機能バルブ。
【請求項６】
仕切弁体は逆止弁体と兼用され、前記分岐点において前記流入路と前記流出路との間を閉塞する止水弁の機能を有し、前記止水弁としての機能は、前記退避路の前記分岐点と対向する側を閉塞する閉塞部材に設けられてなる雌ネジに螺合されてなる、雄ネジを有する止水ハンドルの回転により発現する構造を特徴とする、請求項１ないし請求項５に記載の多機能バルブ。
【請求項７】
前記弁体は、前記閉塞部材に設けられた第二の雌ネジに螺合されてなる、第二の雄ネジを有する水抜ハンドルに接合されたケーブルに緊結され、前記水抜きハンドルの回転により、前記ケーブルを介して退避路に移動されることによって、多機能バルブ内部の水抜きを可能とする、弁体強制移動機能を有することを特徴とする、請求項１ないし請求項６のいずれかに記載の多機能バルブ。
【発明の詳細な説明】
【技術分野】
【０００１】
本発明は各種のプラントに用いられる多機能バルフ゛が取付られたポンプ施設に関する。
【背景技術】
【０００２】
図３は従来の一般的なポンプ設備の一例を示す図であり、２０はポンプ、２１は逆止弁、２２は止水弁である。図４は、図３のポンプ装置に備えられている逆止弁の一例を示す図であり、逆止弁は、図に示した矢印の方向に作動し、図における右側から水が逆流すると、流路を閉塞する構造となっている。
【０００３】
また、図５及び図６は、図３のポンプ施設に備えられている止水弁を示した図である。図５（ａ）はゲートバルブの図である。さらに図５（ｂ）に示したように、弁体を途中で止めた際の流路形状が三日月形になり、キャビテーションの発生が大きく、夾雑物が挟まり易いという課題がある。
【０００４】
図６は、バタフライバルブを示した図である。図６（ｂ）に示したように、高い閉塞能力を有し、開閉トルクが小さい。そしてバタフライバルブにおいては、閉塞と解放の中間の状態では、図６（ｃ）に示したように、流路形状が二つの三日月形になり、ゲートバルブと同様の課題がある。
【０００５】
図７はグローブバルブを示す図である。このバルブにおいては流体の流れはS字状となる。閉止能力がよく、流量調整として使われるが、キャビテーションが発生しやすく、損失係数も高い。
【０００６】
図８は、本発明者による多機能バルブの一例を示す図である。この多機能バルブは、一つの弁体が、逆止弁と止水弁の機能を備え、閉塞と解放の中間の状態では、図８（ｂ）に示したように、流路形状が円形又は四角形となり、夾雑物の挟まりや、キャビテーション及び騒音の発生が少ないという特徴がある。
【０００７】
また、前記のウォーターハンマー防止にはフライホール付ポンプ、エアーベッセルなどが必要となり、多大なコストを強いられている。
【０００８】
この対策として、本発明者は、特許文献１、特許文献２、特許文献３、特許文献４において、急閉式逆止弁、止水弁、弁体強制移動機能を集約してなる多機能弁を提供することで、部品点数の減少し、ひいては製造コストと据付工事費の低減が可能となることを開示している。しかし、ここに開示されている多機能バルブにおいても、ウォーターハンマー対策に十分対応できていないのが実状である。
【先行技術文献】
【特許文献】
【０００９】
【特許文献１】特許第４９６０５２０号
【特許文献２】特許第５１５０８５９号
【特許文献３】特許第５２９８２８１号
【特許文献４】特願第２０１４−１９３７０９
【発明の概要】
【発明が解決しようとする課題】
【００１０】
従って、本発明の課題は、急閉式逆止弁に逆流圧を逃がす緩閉式副弁と、負圧時作動空気吸気弁とを有するウォーターハンマー防止機能が設けてノン・ウォーターハンマーに近い多機能バルブを提供する。
【課題を解決するための手段】
【００１１】
一対の磁石、または、圧縮バネの少なくともいずれかを有する急閉式逆止弁に、弁体底部に逆流圧を逃がす緩閉式副弁と、負圧時作動空気吸気弁とを有するウォーターハンマー防止機能が設けられてなることを特徴とする。
【図面の簡単な説明】
【００１２】
【図１】本発明に係る多機能バルブの一例を示す図。図１（ａ）は断面図、図1（b）は          概略図。
【図２】ウォーターハンマー防止用部材の例を示す図。図２（ａ）は負圧時作動空気吸気弁断面図、図２（ｂ）は緩閉式副弁断面図。
【図３】従来の一般的なポンプ装置の一例を示す図。
【図４】逆止弁の一例を示す図。
【図５】ゲートバルブの一例を示す図
【図６】バタフライバルブの一例を示す図。
【図７】グローブバルブの一例を示す図。
【図８】今回の多機能バルブの一例を示す図。
【発明を実施するための形態】
【００１３】
次に、本発明の実施の形態について、具体的な図を参照しながら説明する。
図１（ａ）は、発明に係る多機能バルブの一例を示す断面図である。図１（ａ）において１は流入路、２は流出路、３は退避路、４は弁座、５は弁体、６は弁体移動ケーブル、７は止水ハンドル、８は弁体強制移動ハンドル、９は退避路の閉塞部材、１０は緩閉式副弁、１１は整流板である。
【００１４】
弁体５は、圧送状態では、水の流れによって、分岐点に配されている弁座４から離れて流路を開放し、水流が停止したり、逆流したりする状態では、弁体５の自重や逆流水で、弁座４に圧接され、流路を分岐点で閉塞する。従って逆止弁として機能する。
【００１５】
そして、流路を閉塞したい場合又は流量調整する場合は、止水ハンドル７を回転させることで、ハンドルを構成する棒状部材に設けられた雄ネジと、この雄ネジに螺合するように、閉塞部材９に設けられた雌ネジの作用で、弁体５を弁座４に圧接又は絞ることができる。
【００１６】
また、弁体固着解除、配管内の水抜き作業が必要になる際は、弁体強制移動ハンドル８を回転させることで、ハンドルを構成する棒状部材に設けられ雄ネジと、この雄ネジに螺合するように、閉塞部材９に設けられた雌ネジの作用で、弁体移動ケーブル６を介して、弁体５を閉塞部材９側へ、つまり図における左斜め上方に引き上げることができる。
【００１７】
図２（ａ）は、閉塞部材９に負圧時作動空気吸気弁１３を設けることにより、ノン・ウォーターハンマーに近い状態が可能である。
【００１８】
図２（ｂ）は逆流水が生じた場合、弁体底部に逆流圧を逃がす緩閉式副弁１０を設けることにより、ノン・ウォーターハンマーに近い状態が可能である。又、整流板１１付きにすることでキャビテーション発生を少なくする。
【００１９】
以上に説明したように、本発明によれば、逆止弁及び止水弁の機能を備え、ノン・ウォーターハンマーに近い機能をも備えた多機能弁を提供でき、ポンプ設備の損傷防止及びコンパクト化に寄与できる。
【符号の説明】
【００２０】
１ ・・・ 流入口    ２ ・・・ 流出口    ３ ・・・ 退避路    ４ ・・・ 弁座
５ ・・・ 弁体    ６ ・・・ 弁体移動ケーブル    ７ ・・・ 止水ハンドル
８ ・・・ 弁体強制移動ハンドル      ９ ・・・  退避路の閉塞部材    
１０ ・・緩閉式副弁      １１ ・・整流板      １３ ・・負圧時作動空気吸気弁
１２ａ，１２ｂ ・・・ 磁石      １４a,１４b ・・・圧縮バネ
２０ ・・・ ポンプ      ２１ ・・・ 逆止弁      ２２ ・・・ 止水弁
【図１】
2016200174.tif 000003
【図２】
2016200174.tif 000004
【図３】
2016200174.tif 000005
【図４】
2016200174.tif 000006
【図５】
2016200174.tif 000007
【図６】
2016200174.tif 000008
【図７】
2016200174.tif 000009
【図８】
2016200174.tif 000010
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
逆止弁は弁体と、弁座と、流入路と、前記流入路に連通する流出路と、前記流入路と前記流出路の中間の分岐点で分岐されてなる退避路と、前記退避路を閉塞する閉塞部材とで構成され、前記弁体は逆流圧を受けるために、円筒の両端にフランジが接続されている構造とし、前記分岐点に設けられてなる前記弁座と前記退避路の間を移動するように配置され、弁座と弁体の間に形成される流路の、弁座と弁体の中心軸に対する垂直断面が、四角形となる構造とし、退避路は弁体が収まる構造とし、前記弁体の逆止弁としての機能は、前記弁体の弁座側フランジが受ける逆流圧に加え、前記弁体の自重、弁体の退避路側に備えられた磁石又はバネの少なくともいずれかによって、前記弁体が前記弁座側に付勢されることにより発現することを特徴とする逆止弁。
【請求項２】
前記逆止弁には、急閉式ウォーターハンマー防止機能を有しており、前記ウォーターハンマー防止機能は前記磁石又は前記バネによって発現することを特徴とする、請求項１に記載の逆止弁。
【請求項３】
前記弁体には、緩閉式弁ウォーターハンマー防止機能を有しており、前記ウォーターハンマー防止機能は弁体底部フランジに逆流圧を逃がす副弁によって発現することを特徴とする、請求項１又は請求項２に記載の逆止弁。
【請求項４】
前記逆止弁には負圧時のウォーターハンマー防止機能を有しており、前記ウォーターハンマー防止機能は前記閉塞部材にバルブの外部空気を吸気する弁を有しており、バルブ内に負圧が発生した時に前記吸気弁によって発現することを特徴とする、請求項１ないし請求項３のいずれかに記載の逆止弁。
【請求項５】
前記弁体の弁座側底部に整流板が付与されていることを特徴とする、請求項１ないし請求項４のいずれかに記載の逆止弁。
【請求項６】
前記逆止弁には、前記分岐点において前記流入路と前記流出路との間を閉塞する止水弁の機能と流量調整弁機能とを兼備し、前記各機能は、前記退避路の前記分岐点と対向する側を閉塞する閉塞部材に設けられてなる雌ネジに螺合されてなる、雄ネジを有する止水ハンドルの回転により発現する構造を特徴とする、請求項１ないし請求項５のいずれかに記載の逆止弁。
【請求項７】
前記弁体は、前記閉塞部材に設けられた第二の雌ネジに螺合されてなる、第二の雄ネジを有する水抜ハンドルに接合されたケーブルに緊結され、前記水抜きハンドルの回転により、前記ケーブルを介して退避路に移動されることによって、逆止弁内部の水抜きを可能とする、弁体強制移動機能を有することを特徴とする、請求項１ないし請求項６のいずれかに記載のバルブ。
【請求項８】
請求項１ないし請求項７のいずれかに記載の逆止弁を有することを特徴とするポンプ施設。
【手続補正２】
【補正対象書類名】明細書
【補正対象項目名】００１９
【補正方法】変更
【補正の内容】
【００１９】
図２は、図１に示した閉塞部材９に、外部の空気を吸引する吸気弁１３を設け、ウォーターハンマー発生時のバルブ内負圧に対し、閉塞部材９の圧縮バネを取り付けた部分の貫通孔を介して、外部空気を吸入することによって、負圧時対応のウォーターハンマー防止機能を発現するようにした構成を示している。
【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
逆止弁は弁体と、弁座と、流入路と、前記流入路に連通する流出路と、前記流入路と前記流出路の中間の分岐点で分岐されてなる退避路と、前記退避路を閉塞する閉塞部材とで構成され、前記弁体は逆流圧を受けるために、円筒の両端又は片端にフランジが接続されている構造とし、前記分岐点に設けられてなる前記弁座と前記退避路の間を移動するように配置され、前記弁体の逆止弁としての機能は、前記弁体の弁座側フランジが受ける逆流圧に加え、弁体の退避路側に備えられた磁石の少なくともいずれかによって、前記弁体が前記弁座側に付勢されることにより発現することを特徴とする逆止弁。
【請求項２】
前記逆止弁は、急閉式ウォーターハンマー防止機能を有しており、前記ウォーターハンマー防止機能は前記磁石又は弁体の退避路側に備えられ、前記弁体を前記弁座側に付勢するバネによって発現することを特徴とする、請求項１に記載の逆止弁。
【請求項３】
前記弁体は、緩閉式弁ウォーターハンマー防止機能を有しており、前記ウォーターハンマー防止機能は弁体底部に逆流圧を逃がす副弁を有し、その副弁によって緩閉式弁ウォーターハンマー防止機能を発現することを特徴とする、請求項１又は請求項２に記載の逆止弁。
【請求項４】
前記逆止弁は前記逆止弁の外部空気を吸気する弁を有し、前記逆止弁内に負圧が発生した時に前記弁によってウォーターハンマー防止機能を発現することを特徴とする、請求項１ないし請求項３のいずれかに記載の逆止弁。
【請求項５】
前記弁体の弁座側底部に整流板が付与されていることを特徴とする、請求項１ないし請求項４のいずれかに記載の逆止弁。
【請求項６】
前記逆止弁には、前記分岐点において前記流入路と前記流出路との間を閉塞する止水弁の機能と流量調整弁機能とを兼備し、前記各機能は、前記退避路の前記分岐点と対向する側を閉塞する閉塞部材に設けられてなる雌ネジに螺合されてなる、雄ネジを有する止水ハンドルの回転により発現する構造を特徴とする、請求項１ないし請求項５のいずれかに記載の逆止弁。
【請求項７】
前記弁体は、前記閉塞部材に設けられた第二の雌ネジに螺合されてなる、第二の雄ネジを有する水抜ハンドルに接合されたケーブルに緊結され、前記水抜きハンドルの回転により、前記ケーブルを介して退避路に移動されることによって、逆止弁内部の水抜きを可能とする、弁体強制移動機能を有することを特徴とする、請求項１ないし請求項６のいずれかに記載の逆止弁。
【請求項８】
請求項１ないし請求項７のいずれかに記載の逆止弁を有することを特徴とするポンプ施設。
【手続補正２】
【補正対象書類名】明細書
【補正対象項目名】００１９
【補正方法】変更
【補正の内容】
【００１９】
図２は、図１に示した閉塞部材９に、外部の空気を吸引する吸気弁１３を設け、ウォーターハンマー発生時のバルブ内負圧に対し、閉塞部材９の圧縮バネを取り付けた部分の貫通孔を介して、外部空気を吸入することによって、負圧時対応のウォーターハンマー防止機能を発現するようにした構成を示している。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
逆止弁は弁体と、弁座と、流入路と、前記流入路に連通する流出路と、前記流入路と前記流出路の中間の分岐点で分岐されてなる退避路と、前記退避路を閉塞する閉塞部材とで構成され、前記弁体は逆流圧を受けるために、円筒の両端又は片端にフランジが接続されている構造とし、前記分岐点に設けられてなる前記弁座と前記退避路の間を移動するように配置され、前記弁体の逆止弁としての機能は、前記弁体の弁座側フランジが受ける逆流圧と、弁体の退避路側に備えられた磁石によって前記弁体が前記弁座側に付勢されることにより発現することを特徴とする逆止弁。
【請求項２】
前記逆止弁は、急閉式ウォーターハンマー防止機能を有しており、前記ウォーターハンマー防止機能は弁体の退避路側に備えられたバネ又は磁石により、前記弁体を前記弁座側に付勢することによって発現することを特徴とする、請求項１に記載の逆止弁。
【請求項３】
前記弁体は、緩閉式弁ウォーターハンマー防止機能を有しており、前記ウォーターハンマー防止機能は弁体底部に逆流圧を逃がす副弁を有し、その副弁によって緩閉式弁ウォーターハンマー防止機能を発現することを特徴とする、請求項１又は請求項２に記載の逆止弁。
【請求項４】
前記逆止弁は前記逆止弁の外部空気を吸気する弁を有し、前記逆止弁内に負圧が発生した時に前記弁によってウォーターハンマー防止機能を発現することを特徴とする、請求項１ないし請求項３のいずれかに記載の逆止弁。
【請求項５】
前記弁体の弁座側底部に整流板が付与されていることを特徴とする、請求項１ないし請求項４のいずれかに記載の逆止弁。
【請求項６】
前記逆止弁には、前記分岐点において前記流入路と前記流出路との間を閉塞する止水弁の機能と流量調整弁機能とを兼備し、前記各機能は、前記退避路の前記分岐点と対向する側を閉塞する閉塞部材に設けられてなる雌ネジに螺合されてなる、雄ネジを有する止水ハンドルの回転により発現する構造を特徴とする、請求項１ないし請求項５のいずれかに記載の逆止弁。
【請求項７】
前記弁体は、前記閉塞部材に設けられた第二の雌ネジに螺合されてなる、第二の雄ネジを有する水抜ハンドルに接合されたケーブルに緊結され、前記水抜きハンドルの回転により、前記ケーブルを介して退避路に移動されることによって、逆止弁内部の水抜きを可能とする、弁体強制移動機能を有することを特徴とする、請求項１ないし請求項６のいずれかに記載の逆止弁。
【請求項８】
請求項１ないし請求項７のいずれかに記載の逆止弁を有することを特徴とするポンプ施設。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
逆止弁は弁体と、弁座と、流入路と、前記流入路に連通する流出路と、前記流入路と前記流出路の中間の分岐点で分岐されてなる退避路と、前記退避路を閉塞する閉塞部材とで構成され、前記弁体は逆流圧を受けるために、円筒の両端又は片端にフランジ部を有し、逆流時は常に逆流圧を受ける構造とし、前記弁体は、前記分岐点に設けられてなる前記弁座と前記退避路の間を移動するように配置され、前記流出部の中心線と前記退出路の中心線のなす角が鋭角であり、前記弁体の逆止弁としての機能は、前記弁体の弁座側フランジが受ける前記逆流圧によって前記弁座側に付勢されることにより発現し、前記逆止弁には前記分岐点において前記流入路と前記流出路との間を閉塞する仕切弁機能と流量調整弁機能を兼備し、前記各機能は、前記退避路の前記分岐点と対向する側を閉塞する閉塞部材に設けられてなる雌ネジに螺合されてなる、雄ネジを有する止水ハンドルの回転により発現する構造を特徴とする逆止弁。
【請求項２】
前記逆止弁は前記逆止弁の外部空気を吸気する弁を有し、前記逆止弁内に負圧が発生した時に前記弁によってウォーターハンマー防止機能を発現することを特徴とする、請求項１に記載の逆止弁。
【請求項３】
前記逆止弁は緩閉式弁ウォーターハンマー防止機能を有しており、前記ウォーターハンマー防止機能は弁体底部に逆流圧を逃がす副弁を有し、その副弁によって緩閉式弁ウォーターハンマー防止機能を発現することを特徴とする請求項１ないし請求項２のいずれかに記載の逆止弁。
【請求項４】
前記弁体の弁座側底部に整流板が付与されていることを特徴とする、請求項１ないし請求項３のいずれかに記載の逆止弁。
【請求項５】
前記弁体は、前記閉塞部材に設けられた第二の雌ネジに螺合されてなる、第二の雄ネジを有する水抜ハンドルに接合されたケーブルに緊結され、前記水抜きハンドルの回転により、前記ケーブルを介して退避路に移動されることによって、逆止弁内部の水抜きを可能とする、弁体強制移動機能を有することを特徴とする、請求項１ないし請求項４のいずれかに記載の逆止弁。
【請求項６】
請求項１ないし請求項５のいずれかに記載の逆止弁を有することを特徴とするポンプ施設。
【手続補正２】
【補正対象書類名】明細書
【補正対象項目名】００１０
【補正方法】変更
【補正の内容】
【００１０】
本発明の課題は、逆止弁は逆流圧を受けるために、円筒の両端又は片端にフランジ部を有し、逆流時は常に逆流圧を受ける構造とし、急閉式逆止弁に弁体底部に逆流圧を逃がす緩閉式副弁と、負圧時に作動する空気吸気弁とを有するウォーターハンマー防止機能を設けてノン・ウォーターハンマーに近い多機能バルブを提供する。
【手続補正３】
【補正対象書類名】明細書
【補正対象項目名】００１１
【補正方法】変更
【補正の内容】
【００１１】
急閉式逆止弁に、弁体底部に逆流圧を逃がす緩閉式副弁と、負圧時作動空気吸気弁とを有するウォーターハンマー防止機能が設けられてなることを特徴とする。
【手続補正４】
【補正対象書類名】明細書
【補正対象項目名】００１４
【補正方法】変更
【補正の内容】
【００１４】
弁体５は、圧送状態では、水の流れによって、分岐点に配されている弁座４から離れて流路を開放し、水流が停止し、逆流したりする状態では、弁体５は常に逆流圧を受けるために、円筒の両端又は片端にフランジ部を有し、常に逆流圧を受ける構造とし、逆流水で、弁座４に圧接され、流路を分岐点で閉塞する。従って逆止弁として機能する。
【手続補正５】
【補正対象書類名】明細書
【補正対象項目名】００１７
【補正方法】変更
【補正の内容】
【００１７】
図２は、図１（a）に示した閉塞部材９に、外部の空気を吸入する空気吸気弁１３を設け、ウォーターハンマー発生時のバルブ内負圧に対し、閉塞部材９の圧縮バネを取付けた部分の貫通孔を介して、外部空気を吸入することによって、負圧時対応のウォーターハンマー防止機能を発現するようにした構成を示している。
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
逆止弁は弁体と、弁座と、流入路と、前記流入路に連通する流出路と、前記流入路と前記流出路の中間の分岐点で分岐されてなる退避路と、前記退避路を閉塞する閉塞部材とで構成され、前記弁体は逆流圧を受けるために、円筒の両端又は片端にフランジ部を有し、逆流時は常に逆流圧を受ける構造とし、前記弁体は、前記分岐点に設けられてなる前記弁座と前記退避路の間を移動するように配置され、前記流出部の中心線と前記退出路の中心線のなす角が鋭角であり、前記弁体の逆止弁としての機能は、前記弁体の弁座側フランジが受ける前記逆流圧によって前記弁座側に付勢されることにより発現し、前記逆止弁には前記分岐点において前記流入路と前記流出路との間を閉塞する仕切弁機能と流量調整弁機能を兼備し、前記各機能は、前記退避路の前記分岐点と対向する側を閉塞する閉塞部材に設けられてなる雌ネジに螺合されてなる、雄ネジを有する止水ハンドルの回転により発現する構造を特徴とする逆止弁。
【請求項２】
前記弁体の弁座側底部に整流板が付与されていることを特徴とする、請求項１に記載の逆止弁。
【請求項３】
前記逆止弁は前記逆止弁の外部空気を吸気する弁を有し、前記逆止弁内に負圧が発生した時に前記弁によってウォーターハンマー防止機能を発現することを特徴とする、請求項１ないし請求項２のいずれかに記載の逆止弁。
【請求項４】
前記逆止弁は緩閉式弁ウォーターハンマー防止機能を有しており、前記ウォーターハンマー防止機能は弁体底部に逆流圧を逃がす副弁を有し、その副弁によって緩閉式弁ウォーターハンマー防止機能を発現することを特徴とする請求項１ないし請求項３のいずれかに記載の逆止弁。
【請求項５】
前記逆止弁には急閉式ウォーターハンマー防止機能を有しており、前記ウオーターハンマー防止機能は弁体の退避路側に備えられた磁石又はバネにより、前記弁体を前記弁座側に付勢することによって発現することを特徴とする、請求項１ないし請求項４のいずれかに記載の逆止弁。
【請求項６】
前記弁体は、前記閉塞部材に設けられた第二の雌ネジに螺合されてなる、第二の雄ネジを有する水抜ハンドルに接合されたケーブルに緊結され、前記水抜きハンドルの回転により、前記ケーブルを介して退避路に移動されることによって、多機能バルブ内部の水抜きを可能とする、弁体強制移動機能を有することを特徴とする、請求項１ないし請求項５のいずれかに記載の逆止弁。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
逆止弁は弁体と、弁座と、流入路と、前記流入路に連通する流出路と、前記流入路と前記流出路の中間の分岐点で分岐されてなる退避路と、前記退避路を閉塞する閉塞部材とで構成され、前記弁体は逆流圧を受けるために、円筒の両端又は片端にフランジ部を有し、逆流時は常に逆流圧を受ける構造とし、前記弁体は、前記分岐点に設けられてなる前記弁座と前記退避路の間を移動するように配置され、前記流出部の中心線と前記退出路の中心線のなす角が鋭角であり、前記弁体の逆止弁としての機能は、前記弁体の弁座側フランジが受ける前記逆流圧によって前記弁座側に付勢されることにより発現し、前記逆止弁は緩閉式弁ウォーターハンマー防止機能を有しており、前記ウォーターハンマー防止機能は弁体底部に逆流圧を逃がす副弁を有し、その副弁によって緩閉式弁ウォーターハンマー防止機能を発現することを特徴とする逆止弁。
【請求項２】
前記弁体の弁座側底部に整流板が付与されていることを特徴とする、請求項１に記載の逆止弁。
【請求項３】
前記逆止弁は前記逆止弁の外部空気を吸気する弁を有し、前記逆止弁内に負圧が発生した時に前記弁によってウォーターハンマー防止機能を発現することを特徴とする、請求項１ないし請求項２のいずれかに記載の逆止弁。
【請求項４】
前記逆止弁には前記分岐点において前記流入路と前記流出路との間を閉塞する仕切弁機能と流量調整弁機能を兼備し、前記各機能は、前記退避路の前記分岐点と対向する側を閉塞する閉塞部材に設けられてなる雌ネジに螺合されてなる、雄ネジを有する止水ハンドルの回転により発現する構造を特徴とする請求項１ないし請求項３のいずれかに記載の逆止弁。
【請求項５】
前記逆止弁には急閉式ウォーターハンマー防止機能を有しており、前記ウオーターハンマー防止機能は弁体の退避路側に備えられた磁石又はバネにより、前記弁体を前記弁座側に付勢することによって発現することを特徴とする、請求項１ないし請求項４のいずれかに記載の逆止弁。
【請求項６】
前記弁体は、前記閉塞部材に設けられた第二の雌ネジに螺合されてなる、第二の雄ネジを有する水抜ハンドルに接合されたケーブルに緊結され、前記水抜きハンドルの回転により、前記ケーブルを介して退避路に移動されることによって、逆止弁内部の水抜きを可能とする、弁体強制移動機能を有することを特徴とする、請求項１ないし請求項５のいずれかに記載の逆止弁。